(57)【要約】  遊技客が表示ランプにおける表示部の角度を変えて表示部を見易くし、表示部を見るために遊技客が背伸びしたり、立ち上がったりする必要をなくすること。    【課題】  パチンコ機台等の遊技機台に装着されて、当該遊技機台の作動状況が文字や図形等で表示される表示ランプにおいて、該表示ランプの構成要素である表示部３と上ケース２が別体とされ、かつ表示部３が上ケース２に対して手前下方に回動自在とされ、これにより表示面の目視角度が可変される。    【選択図】  図４
0003108948.tif 000002
【実用新案登録請求の範囲】
【請求項１】
パチンコ機台等の遊技機台に装着されて、当該遊技機台の作動状況が文字や図形等で表示される表示ランプにおいて、
該表示ランプの構成要素である表示部が手前下方に回動自在とされた構成を特徴とする遊技機台用表示ランプ。
【考案の詳細な説明】
【技術分野】
【０００１】
本考案は、パチンコ機台やパチスロ機台等の遊技機台用の表示ランプに関するものである。
【背景技術】
【０００２】
周知のように、パチンコ店やパチスロ店において、係員の呼び出し或いは各機台の大当たり状況、稼動状況等を表示する表示ランプは通常、各遊技機台毎の上方の目につき易い所に取り付けられているが、表示ランプの構成要素である文字や図形等のデジタル表示の表示部はケースパネルに固定されており、遊技客がその表示角度を可変することはできないものであった。
【０００３】
そのため、腰掛けている遊技客がこの表示ランプの文字や図形等の表示部を見る場合には、上方を見上げるか、下方から表示部を見ることになるため、表示面に対する角度或いは光線の具合で表示部が見にくい場合があり、そのために背伸びしたり立ち上がったりしなければならなかった。
【０００４】
又、下方から表示部を見上げる遊技客に対して、表示部を最初から下方に傾けてあると、今度は各遊技機台の表示ランプの表示部を見ながら歩いている遊技客にとっては、下方に傾いた表示部の文字や図形等を見ることになって見にくいという問題点があった。
【考案の開示】
【考案が解決しようとする課題】
【０００５】
本考案が解決しようとする問題点は、腰掛け正面を向いて遊戯をしている遊戯客や各遊戯機台を見ながら歩いている遊戯客が表示ランプの表示部の文字や図形等が見にくいという点である。
【０００６】
又、店内の天井照明、壁照明等の光により、特定の場所においては表示面が光の反射を受けて本来の表示されている表示部の文字や図形等が見にくいという点である。
【課題を解決するための手段】
【０００７】
本考案は、パチンコ機台等の遊技機台に装着されて、当該遊技機台の作動状況が文字や図形等で表示される表示ランプにおいて、該表示ランプの構成要素である表示部が手前下方に回動自在とされた構成を特徴とするものである。
【考案の効果】
【０００８】
本考案の遊技機台用の表示ランプは、遊技客が簡単に表示ランプにおける表示部の角度を変えて、表示部における文字や図形等の見易い位置にすることで、遊技客が背伸びしたり、立ち上がったりする必要がなくなるという利点がある。
【考案を実施するための最良の形態】
【０００９】
以下に図面を参照して、本願に係る考案を実施するための最良の形態についてその作用と共に説明する。
【００１０】
図１は、本考案に係る遊技機台用表示ランプの一例での一部省略の概略平面図、図２は、図１の一部省略の概略断面図、図３は、要部の拡大断面図、図４は、表示部の回動状態を示す一部省略の断面図ある。
【００１１】
これら図において、本表示ランプは、表示ランプケースを形成する下ケース1及び該下ケース1と一体的に固着された上ケース２、上ケース２の中央開口部内に設けられ、かつ表示ケース４と表示パネル５を構成要素とする表示部３と、該表示部３を挟んで上ケース２の左右位置に設けられたレンズパネル６、７等から構成され、これら各部材は好ましくは、アクリル樹脂材による成型品として得られる。
【００１２】
表示部３は、「大当たり回数」、「確率変動回数」、「ゲーム回数」等のデータが文字や図形等でデジタル表示されるものである。
【００１３】
このような構成から成る表示ランプは、各パチンコ機台等の各遊技機台毎の上方の目につき易い部位１００に取り付けられるが、従来の表示ランプはその表示部がケースパネルに固着されていたため、表示ランプの取り付けが完了すれば固定されたものとなり、遊技客が表示部の目視角度を任意に可変することはできないものであった。
【００１４】
本考案は、表示部をケースパネルに固定することなく、表示部とケースパネルをそれぞれ別体とし、かつケースパネルに対して表示部を回動可能とすることにより、表示部の目視角度の可変を可能としたものである。
【００１５】
表示部３の目視角度の可変手段を説明すると、図において、表示部３は上下開口の箱型表示ケース4と該表示ケース４の開口上面に一体的に固着された表示パネル５を構成要素とし、表示ケース４における相対向する一方のパネル部８（図１中の長手方向のパネル部）は、図４に示されているように円弧状に形成されると共に、相対向する他方のパネル部９（図１中の短手方向のパネル部）の略中心軸線上の下部には、それぞれ外側に向けた左右対称形の軸部１０が水平に突設されている。
【００１６】
一方、上ケース２における一段高い開口部１１を形成する相対向するケースパネル部１２（図１中の短手方向のケースパネル部）の下部軸受部１３には、それぞれ軸部１０が嵌り込む切欠部１４が形成されている。
【００１７】
そして、両方の軸部１０がそれぞれの切欠部１４に回動可能に嵌め込まれると共に、切欠部１４の下側には軸受部１３の下端突起部１５を介して軸止蓋１６が固着されて、表示ケース４がケースパネル部１２から脱落しないようになっている。
【００１８】
このように構成された本表示ランプは、前記のように、各パチンコ機台等の各遊技機台毎の上方の目につき易い部位１００に取り付けられて、通常状態においては、表示部３は図４に実線で示されているように、上ケース２の正面と略同一面状態となっている。
【００１９】
このような状態から、表示部３の目視角度を可変するには、表示部３の構成要素である表示パネル５の正面下部を手動で押すと、図４に想像線で示されているように、表示パネル５と一体に表示ケース４が軸部１０を支体として手前下方に回動する。
【００２０】
そして、所定角度θ（好ましくは、３０度）回動すると、図１及び図４に示されているように、表示ケース４におけるパネル部８の下部パネル部８の下端が下ケース１に突設の左右のストッパー１８に当たってそれ以上の回動が規制され、回動状態が保持される。
【００２１】
この表示部３の回動状態から、これを元位置に戻すには、表示パネル５の正面上部を手動で押すと、図１及び図４に示されているように、表示パネル５と一体に表示ケース４が軸部１０を支体として背面方向に回動し、表示ケース４におけるパネル部８の上部パネル部８の下端が上ケース２に突設の左右のストッパー１７に当たってそれ以上の回動が規制され、元位置状態に保持される。
【００２２】
以上、本表示ランプは、その表示部３が手動で回動される構成であるが、この回動動作を手動に代えて自動としてもよく、又、表示ランプ全体を手動或いは自動により回動させるように構成することも可能である。
【図面の簡単な説明】
【００２３】
【図１】本考案に係る遊技機台用表示ランプの一例での一部省略の概略平面図である。
【図２】図１の一部省略の概略断面図である。
【図３】要部の拡大断面図である。
【図４】表示部の回動状態を示す一部省略の断面図ある。
【符号の説明】
【００２４】
１    下ケース
２    上ケース
３    表示部
４    表示ケース
５    表示パネル
８、９    パネル部
１０    軸部
１１    開口部
１２    ケースパネル部
１３    下部軸受部
１４    切欠部
１６    軸止蓋
１７、１８    ストッパー
【図１】
0003108948.tif 000003
【図２】
0003108948.tif 000004
【図３】
0003108948.tif 000005
【図４】
0003108948.tif 000006
【手続補正書】
【提出日】平成16年11月25日(2004.11.25)
【手続補正２】
【補正対象書類名】明細書
【補正対象項目名】０００５
【補正方法】変更
【補正の内容】
【０００５】
本考案が解決しようとする問題点は、腰掛け正面を向いて遊技をしている遊技客や各遊技機台を見ながら歩いている遊技客が表示ランプの表示部の文字や図形等が見にくいという点である。